【事件の表示】
　平成　９年特許願第５３７６４５号「印刷機特に枚葉紙オフセット輪転印刷機のための反転装置」拒絶査定不服審判事件〔平成　９年１０月３０日国際公開、ＷＯ９７／３９８９６、平成１２年　７月１１日国内公表、特表２０００−５０８５９４〕について、次のとおり審決する。
【結　論】
　本件審判の請求は、成り立たない。
【理　由】
１．手続の経緯
　本願は、１９９７年３月２１日（パリ条約による優先権主張外国庁受理１９９６年４月２０日、独国）に出願したものであって、平成１９年８月２７日付けで拒絶査定がなされ、これに対し、同年１１月２９日付けで拒絶査定に対する審判請求がなされるとともに、同日付けで明細書についての手続補正がなされたものである。
　
２．補正についての検討
　平成１９年１１月２９日付け手続補正（以下、「本件補正」という。）は、特許請求の範囲についての補正であり、補正前後の特許請求の範囲の記載を比較すると、補正後の請求項１は、補正前の請求項１を引用する補正前の請求項３を、補正後の請求項２は、補正前の請求項２を引用する補正前の請求項３をそれぞれ独立形式に書き下したものに相当する。従属請求項である補正後の請求項３〜２５は、従属請求項である補正前の請求項４〜２６に被引用請求項についての記載を除いてそれぞれ一致している。
　そうすると、本件補正は、補正前の請求項１、２を削除し、補正前の請求項３を補正後の請求項１、２に書き下し、他の従属請求項の被引用請求項を整合させたものであり、平成１８年改正前特許法第１７条の２第４項第１号の請求項の削除を目的とするものに該当する。
　また、本件補正は、願書に添付した明細書又は図面に記載した事項の範囲内のものであり、特許法第１７条の２第３項の規定を満たしている。
　よって、本件補正を認める。
　
３．本願発明
　本願請求項１に係る発明（以下、「本願発明」という。）は、本件補正で補正された特許請求の範囲の請求項１に記載された事項により特定される次のものと認める。
「枚葉紙輪転印刷機のための反転装置であって、前置された印刷装置の対抗圧胴と後置された印刷装置の対抗圧胴との間に配置された引き渡し装置を備えており、該引き渡し装置が、前置された対抗圧胴から枚葉紙を受け取る第１のグリッパ装置と、枚葉紙の後縁部を咥えて後置された印刷装置の対抗圧胴に引き渡す第２のグリッパ装置とを有している形式のものにおいて、
　引き渡し装置（２）の近くに配置された見当合わせローラ（１６）が、この見当合わせローラの外周面（１８）に亘って分割して配置された、負圧源（２２０）に接続可能な多数の吸込み開口（２０）を備えており、これらの吸込み開口（２０）が、枚葉紙（１０）を見当合わせローラの外周面に吸い付けて、見当合わせ状態を維持しながら枚葉紙の前縁部を走行方向で前方にしてガイドし、この際に、第２のグリッパ装置（３４）が枚葉紙（１０）の後縁部を咥える前に、枚葉紙（１０）が、見当合わせ維持されてガイドされている間、吸込み開口（２０）によって保持されており、中間貯蔵システム（１９，１１９）が設けられており、該中間貯蔵システムに、枚葉紙（１０，１１０）がその前縁部を手前にして見当合わせローラ（１６，１１６）から引き渡されることを特徴とする、枚葉紙輪転印刷機のための反転装置。」
　
４．引用刊行物
（１）原査定の拒絶の理由に引用された刊行物である特開昭６２−６８７５３号公報（以下、「刊行物１」という。）には、以下の記載が図示とともにある。
　ア．「列構造の輪転印刷機のための枚葉紙裏返し装置であつて、連続する各印刷機構の各圧胴が、版胴の２倍の大きさの唯１つの引渡しローラによつて接続されており、この引渡しローラに蓄えローラが配属されており、また協働する複数の挾持グリツパ列から成る連続したグリツパ式引渡し機構が配設されている形式のものにおいて、裏返し作業のために、引渡しローラ（７）には蓄えローラ（８）の挾持グリツパ（１８，１９）と協働すべき固定位置決めされた表面印刷グリツパ（１４，１５）と、枚葉紙サイズに調節可能な裏面印刷グリツパ（１６，１７）とが配設され、また蓄えローラ（８）には回転方向で見て挾持グリツパ（１８，１９）の後方に、枚葉紙端部上に調節されて作用可能なならし装置（２０，２１）が配設されていることを特徴とする、輪転印刷機のための枚葉紙裏返し装置。」（特許請求の範囲請求項１）
　イ．「実施例
　第１図及び第２図に略示された２色印刷機は２つの版胴１，２と２つのゴム胴３，４と、版胴の２倍の大きさの２つの圧胴５，６とから成り、この各圧胴５，６はやはり版胴の２倍の大きさの唯１つの引渡しローラ７によって接続されている。また蓄えローラ８が引渡しローラ７に付加的に配属されている。版胴１，２に配属されたインキ装置は図示されていない。印刷されるべき枚葉紙９ａ，ｂ，ｃは公知方法で圧胴５に供給されそして圧胴６から再び搬出される。圧胴５，６にはそれぞれ２列の挾持グリツパ１０，１１及び１２，１３が配設されており、この各列は公知方法で向い合つて位置しかつ適切に制御されて枚葉紙９ａ，ｂ，ｃの搬送のために働いている。また引渡しローラ７が表面印刷のために、表面印刷グリツパ１４，１５から成る２列のグリツパ列を有している。半周分だけ互いにずらして配置されたこの表面印刷グリツパ１４，１５は圧胴５，６の挾持グリツパ１０，１１及び１２，１３と協働し、また表面印刷時には蓄えローラ８が自らのグリツパの非作動状態において付加的な枚葉紙案内ローラとして同時に働く。枚葉紙９ａ，ｂ，ｃの裏返しを可能にするために引渡しローラ７は他にも、枚葉紙端部（矢印を参照）に対して調節されて作用可能な裏面印刷グリツパ１６，１７を有している。表面印刷においてはこの裏面印刷グリツパ１６，１７は引渡しローラ７の套壁内部内に回し入れられて作用しなくなつている（第１図参照）。」（第３頁左上欄第１１行〜左下欄第１行）
　ウ．「両面印刷において表面印刷グリツパ１４，１５は蓄えローラ８の挾持グリツパ１８，１９と協働する。この場合、枚葉紙９が蓄えローラ８上の所定の套壁面区分に完全に当接した時に初めて裏面印刷グリツパ１６，１７が作用するに至る。枚葉紙９の後縁を蓄えローラ８上に十分に接触させかつ、裏面印刷グリツパ１６，１７による正確に見当合せされた受取りを可能にするために、枚葉紙端部上に調節されて作用可能な（矢印参照）ならし装置２０，２１が蓄えローラ８に配設されている。そして枚葉紙９が平らにならされて蓄えローラ８上に載せられると既座に、該枚葉紙の後縁が裏面印刷グリツパ１６，１７によつて確実に捕捉される。この後で初めて枚葉紙前縁が蓄えローラ８の開放された挾持グリツパ１８，１９から解放される。枚葉紙裏返しの最後の段階は第２図に鎖線で示されている。本来の枚葉紙後縁が枚葉紙前縁となり、該枚葉紙９が汚損の危険なしに第２の圧胴６の挾持グリツパ１２，１３に引渡される。
　両面印刷への切換えは次のように行なわれる、即ち、蓄えローラ８の各ならし装置２０，２１がそれぞれ枚葉紙端部上に調節されて作用せしめられ、そして第２の圧胴６の印刷機構が、裏返しにされた枚葉紙９が枚葉紙サイズに合わせられた裏面印刷グリツパ１６，１７によつて圧胴６の挾持グリツパ１２，１３に引渡されるように回転せしめられる。」（第３頁左下欄第２行〜右下欄第９行）
　エ．第２図から、版胴１とゴム胴３と圧胴５を有する印刷機構が引渡しローラ７の前に配置され、版胴２とゴム胴４と圧胴６を有する印刷機構が引渡しローラ７の後ろに配置され、圧胴５と圧胴６の間に引渡しローラ７が配置されていることが看取できる。
　
　上記ウ．に「裏面印刷グリツパ１６，１７による正確に見当合せされた受取りを可能にするために」と記載されており、そのためには、蓄えローラ８でも正確に見当合せされた受取りをしていることは技術常識であるから、蓄えローラ８は、見当合わせ状態を維持しながら枚葉紙９の前縁部を咥えているものと認められる。
　上記記載及び図面を含む刊行物１全体の記載から、刊行物１には、以下の発明が開示されていると認められる。
「輪転印刷機のための枚葉紙裏返し装置であって、前置された印刷機構の圧胴５と、後置された印刷機構の圧胴６との間に配置された引渡しローラ７を備えており、該引渡しローラ７が、前置された圧胴５から枚葉紙９を受け取る表面印刷グリツパ１４，１５と、枚葉紙９の後縁部を咥えて後置された印刷機構の圧胴６の挾持グリツパ１２，１３に引き渡す裏面印刷グリツパ１６，１７とを有している形式のものにおいて、
　引渡しローラ７に配属された蓄えローラ８の挾持グリツパ１８，１９が、見当合わせ状態を維持しながら枚葉紙９の前縁部を咥えて枚葉紙９を蓄えローラ８の外周面に載せると、該枚葉紙９の後縁部を裏面印刷グリツパ１６，１７が捕捉し、枚葉紙９前縁部を蓄えローラ８の挾持グリツパ１８，１９が解放し、裏面印刷グリツパ１６，１７が枚葉紙９後縁部を第２の圧胴６の挾持グリツパ１２，１３に引き渡す輪転印刷機のための枚葉紙裏返し装置。」（以下、「引用発明」という。）
　
（２）原査定の拒絶の理由に引用された刊行物である特開昭６１−１１２５３号公報（以下、「刊行物２」という。）には、以下の記載が図示とともにある。
　オ．「一方の面は平滑、これと向い合う他方の面は凹凸のついた面となつており、少くともこの凹凸のついた面から突出していて枚葉紙を支える、望ましくは統計的に一様に分布配列された支持面がインキをはじき、化学的に安定で、耐磨耗性ある材料でなつている、片面および両面印刷用輪転オフセット印刷機の紙送り胴の被覆において、
　支持面（９）と谷部（１０）でなつている凹凸のついた面が幾つかの場所において意図的に設けられた貫通部分（３）によつて不連続になつており、これら貫通部分（３）が選択的に吹出し空気あるいは吸引空気の作用の下におかれうることを特徴とする輪転オフセット印刷機の紙送り胴の被覆。」（特許請求の範囲請求項１）
　カ．「本発明による被覆を送り胴、貯留胴、反転胴、圧胴および排紙胴に用いることにより、印刷された枚葉紙の接触汚損のない送りが保証される。」（第４頁右上欄第４〜６行）
　キ．「貫通部分が凹凸のついた面全体にわたつて統計的に一様に分布するよう分散して設けられているのが有利である。」（第４頁左下欄第３〜５行）
　ク．「貫通部分３を通して外気が吸引されるときには、載せ／案内されている枚葉紙の下に真空が発生し、それにより枚葉紙はガラス玉１の円丘にしつかりと押付けられる。」（第５頁左上欄末行〜右上欄第４行）
　ケ．「起りうる相対運動を防止するために枚葉紙が表面上に不動で保持されるべき場合には、枚葉紙下側とクロムの表面層５の間で負圧が生成するよう、貫通部分３を通して外気が吸引される。」（第５頁右上欄末行〜左下欄第４行）
　コ．「第６図に断面図で示されている圧胴１５から、両面印刷された枚葉紙１４が１つの渡し胴１６に引渡される。圧胴１５には第３図のような被覆１１が張着されている。その外套面１２には空気の流路１７が配置されている。これら流路は圧胴１５の回転軸に平行に伸びている。圧胴１５の１つの端面では、第７図に示すように、図には示していない機械の側壁上に１つの弁板１８が設けられている。この弁板は、孔２０を通して負圧発生源に接続されている１つの制御スリット１９を有している。外套面１２に沿つてその特定の場合に、孔１３を通じて外気に連絡している数個の空気流路１７が配置されている。既に第３図において説明したように、被覆１１は、その貫通部分３の各グループがそれぞれ１つの空気流路１７の孔１３で蔽われるように張着されている。
　さて、空気流路１７が制御スリット１９の領域にあるときは貫通部分３を通して空気が吸引され、したがつて被覆１１の表面上この場所において負圧が発生する。この負圧は枚葉紙１４を吸引し、それにより、枚葉紙が脱落することを防ぐ。枚葉紙１４はそれ故に、圧胴１５と送り胴１６の間の隙間を通して脱落し得ない。枚葉紙は、それどころか、被覆１１の表面に対しての相対運動を生じうることなしに、送り胴１６によつて取去られる。圧胴１５と送り胴１６の切点の付近で空気流路１７は制御スリツト１９を離れ、それによつて負圧は解消し、したがつて枚葉紙はこの場所においてもはや被覆１１に押付けられなくなる。」（第６頁左上欄第４行〜右上欄第１４行）
　サ．「第９図は両面印刷機における２つの印刷装置を概略的に示している。この構成全体において第８図と異るのは吹出口がついた紙案内壁板２６の構造だけである。第１の印刷装置の圧胴２３で載せ／案内される枚葉紙１４は既にその下側に１回あるいはより多くの印刷をなされたものである。つまり、圧胴２３は反転された枚葉紙を載せ／案内している。版胴２１およびゴム胴２２の助けによつて、下側に印刷をされた枚葉紙に、この印刷装置で第１図の裏面印刷がなされる。印刷隙間を通過し、送り胴１６によつて前縁部が受取られた後に、枚葉紙１４は第８図の場合と全く同様に、それが脱落しないよう、圧胴２３の被覆１１に負圧の作用によつて押付けられる。
　送り胴１６の下方領域において、この場合は第１図のような被覆の貫通部分から空気が吹出されるのではなく、空気が吸引される。追加的に、紙案内壁板２６の上部に吹出し空気によつて空気クツシヨンが形成される。」（第６頁右下欄第３行〜第７頁左上欄第２行）
　シ．「両面印刷機における反転ステーシヨンにおいてもまた、第１２図および第１３図に略図的に示されているように、本発明による被覆は大きな有利性をもつて用いられる。第１の印刷装置は版胴２１、ゴム胴２２および圧胴２３で成つている。これに続いて送り胴３３があつて、これが枚葉紙１４を貯留胴３４に引渡す。そこから反転胴３５が、機械のセツトの仕方によつて枚葉紙をその前縁部あるいは後縁部をつかんで受取る。反転胴３５から枚葉紙はそれのすぐ後の圧胴２３に到達する。圧胴２３は版胴２１およびゴム胴２２と組んで働き、それにより枚葉紙１４は、機械のセツトの仕方次第で表面の印刷あるいは裏面印刷をこの印刷装置においてされる。
　１倍径の大きさの送り胴３３には第１図のような被覆が設けられている。すなわち、枚葉紙はその印刷直後の側が送り胴３３の載せ／案内面と接触しないように、吹出し空気によつて紙案内壁板２６に押付けられる。貯留胴３４には、それが２倍径の大きさを有する故、２つの紙載せ／案内面が設けられており、枚葉紙の後縁の領域において、調整可能の吸引箱３６がある。この吸引箱３６は第１３図で拡大して示してあるが、これは枚葉紙のフオーマツトに合わせて調整されうる。吸引箱３６は配管３７を経て図には示されていない負圧発生装置に接続されている。吸引箱３６の孔１３を備えた覆い板３８は第３図のような被覆１１と接着されている。貫通部分３のグループの各々がそれぞれ１つの孔１３で覆われている。枚葉紙１４の後縁領域が吸引箱３６の作用で吸引されることにより、反転胴３５の鉗子形グリツパからの枚葉紙後縁部の確実で接触汚損のない受取りが保証される。吸引箱３６はそれ故に先づはこの場合も下側に印刷されている枚葉紙１４の脱落を防止する。」（第７頁右下欄第４行〜第８頁左上欄第１９行）
　
　上記オ．、キ．の記載から、貫通部分３は、紙送り胴の外周面に亘って分割して配置されているものであり、上記オ．、コ．、サ．、シ．の記載から、多数の貫通部分３は限られた領域で負圧源に接続可能なものであり、上記ク．、ケの記載から、貫通部分３が、枚葉紙を紙送り胴の外周面に吸い付けるものであることが認められるから、上記記載及び図面を含む刊行物２全体の記載から、刊行物２には、以下の事項が開示されていると認められる。
「紙送り胴の外周面に亘って分割して配置された、限られた領域で負圧源に接続可能な多数の貫通部分３を備えており、これらの貫通部分３が、枚葉紙を紙送り胴の外周面に吸い付けること」
　
５．対比
　本願発明の符号が付記されていない「第２のグリッパ装置」と「第２のグリッパ装置（３４）」が同じものを指しているのか否か必ずしも明らかではないが、請求項１に「該引き渡し装置が、前置された対抗圧胴から枚葉紙を受け取る第１のグリッパ装置と、枚葉紙の後縁部を咥えて後置された印刷装置の対抗圧胴に引き渡す第２のグリッパ装置とを有している」と記載されているから、符号が付記されていない「第２のグリッパ装置」は、「引き渡し装置」の一部であることが明らかである。また、本願図面の【図１】、【図２】から、「第２のグリッパ装置（３４）」は、後置された印刷装置の対抗圧胴に設けられたものと解さざるを得ない。そうすると、両者は異なるものを指しているものと認められ、両者を区別するために、以後、符号が付記されていない「第２のグリッパ装置」を「（引き渡し装置の）第２のグリッパ装置」、「第２のグリッパ装置（３４）」を「（後置対抗圧胴の）第２のグリッパ装置（３４）」と称する。
　そこで、本願発明と引用発明とを比較すると、引用発明の「輪転印刷機のための枚葉紙裏返し装置」、「印刷機構」、「圧胴５」、「圧胴６」、「引渡しローラ７」、「枚葉紙９」、「表面印刷グリツパ１４，１５」、「裏面印刷グリツパ（１６，１７）」、及び、「挾持グリツパ１２，１３」は、それぞれ本願発明の「枚葉紙輪転印刷機のための反転装置」、「印刷装置」、「前置された印刷装置の対抗圧胴」、「後置された印刷装置の対抗圧胴」、「引き渡し装置」、「枚葉紙」、「第１のグリッパ装置」、「（引き渡し装置の）第２のグリッパ装置」、及び、「（後置対抗圧胴の）第２のグリッパ装置（３４）」に相当する。
　引用発明の「蓄えローラ８」は、引渡しローラ７（本願発明の「引き渡し装置」に相当。）に配属され、見当合わせ状態を維持しながら枚葉紙９の前縁部を咥えるものであるから、本願発明に倣って、引き渡し装置の近くに配置された見当合わせローラと称することができる。
　引用発明の「蓄えローラ８の挾持グリツパ１８，１９が、見当合わせ状態を維持しながら枚葉紙９の前縁部を咥えて枚葉紙９を蓄えローラ８の外周面に載せる」ことと、本願発明の「見当合わせローラ（１６）が、この見当合わせローラの外周面（１８）に亘って分割して配置された、負圧源（２２０）に接続可能な多数の吸込み開口（２０）を備えており、これらの吸込み開口（２０）が、枚葉紙（１０）を見当合わせローラの外周面に吸い付けて、見当合わせ状態を維持しながら枚葉紙の前縁部を走行方向で前方にしてガイド」することは、「見当合わせ状態を維持しながら枚葉紙を動かす」点で共通する。
　よって、両者は、
「枚葉紙輪転印刷機のための反転装置であって、前置された印刷装置の対抗圧胴と後置された印刷装置の対抗圧胴との間に配置された引き渡し装置を備えており、該引き渡し装置が、前置された対抗圧胴から枚葉紙を受け取る第１のグリッパ装置と、枚葉紙の後縁部を咥えて後置された印刷装置の対抗圧胴に引き渡す（引き渡し装置の）第２のグリッパ装置とを有している形式のものにおいて、
　引き渡し装置の近くに配置された見当合わせローラが、見当合わせ状態を維持しながら枚葉紙を動かす枚葉紙輪転印刷機のための反転装置。」
の点で一致し、以下の点で相違している。
［相違点１］見当合わせローラに関し、本願発明は、「見当合わせローラの外周面（１８）に亘って分割して配置された、負圧源（２２０）に接続可能な多数の吸込み開口（２０）を備えており、これらの吸込み開口（２０）が、枚葉紙（１０）を見当合わせローラの外周面に吸い付けて、見当合わせ状態を維持しながら枚葉紙の前縁部を走行方向で前方にしてガイドし、この際に、（後置対抗圧胴の）第２のグリッパ装置（３４）が枚葉紙（１０）の後縁部を咥える前に、枚葉紙（１０）が、見当合わせ維持されてガイドされている間、吸込み開口（２０）によって保持されており」と特定されているのに対し、引用発明は、本願発明のような特定がなされていない点。
［相違点２］本願発明は、中間貯蔵システム（１９，１１９）が設けられており、該中間貯蔵システムに、枚葉紙（１０，１１０）がその前縁部を手前にして見当合わせローラ（１６，１１６）から引き渡されると特定されているのに対し、引用発明は、本願発明のような特定がなされていない点。
　
６．判断
　上記相違点１について検討する。
　引用発明は、「蓄えローラ８の挾持グリツパ１８，１９が、見当合わせ状態を維持しながら枚葉紙９の前縁部を咥えて枚葉紙９を蓄えローラ８の外周面に載せる」ものであるから、挾持グリツパ１８，１９によって、枚葉紙９は、蓄えローラ８上に相対移動しないように保持され、見当合わせ状態が維持されている。
　一方、刊行物２には、「紙送り胴の外周面に亘って分割して配置された、限られた領域で負圧源に接続可能な多数の貫通部分３（本願発明の「吸込み開口（２０）」に相当。）を備えており、これらの貫通部分３が、枚葉紙を紙送り胴の外周面に吸い付けること」が記載されており、刊行物２のカ．に「本発明による被覆を送り胴、貯留胴、反転胴、圧胴および排紙胴に用いる」と記載され、枚葉紙を動かす胴に適用することが示唆され、刊行物２のシ．に「両面印刷機における反転ステーシヨン」と記載され、両面印刷機における反転ステーシヨンに適用できることが示唆されている。
　引用発明の「挾持グリツパ１８，１９」と刊行物２記載の「貫通部分３」は、いずれも胴の上に枚葉紙を相対的に移動しないように保持する手段であるから、引用発明の蓄えローラ８の挾持グリツパ１８，１９に代え、刊行物２記載の事項を適用し、蓄えローラ８（本願発明の「見当合わせローラ」に相当。）の外周面に亘って分割して配置された、限られた領域で負圧源に接続可能な多数の吸込み開口を備えるようにすることは、当業者が容易になし得る程度のことである。
　そして、限られた吸い込み領域をどこにするかは必要に応じ適宜決定できることであり、吸い込み領域を枚葉紙をガイドするのに必要な領域とすれば、該領域に対応する貫通部分３（本願発明の「吸込み開口（２０）」に相当。）が、枚葉紙を蓄えローラ８（見当合わせローラ）の外周面に吸い付けて、見当合わせ状態を維持しながら枚葉紙の前縁部を走行方向で前方にしてガイドすることとなり、枚葉紙が、見当合わせ維持されてガイドされている間、吸込み開口によって保持されていることとなる。更に、そのような保持状態が、後置された印刷機構の圧胴６の挾持グリツパ１２，１３（本願発明の「（後置対抗圧胴の）第２のグリッパ装置（３４）」に相当。）が枚葉紙の後縁部を咥える前となることは明らかである。
　
　上記相違点２について検討する。
　枚葉紙がその前縁部を手前にして引き渡される中間貯蔵システムは、原査定の拒絶の理由に引用された特開昭６４−７７５４２号公報（「枚葉紙支え２６」が相当。以下、「刊行物３」という。）、特開平８−３９７７６号公報（「案内ブレード１６」が相当。以下、「刊行物４」という。）に記載されている。相違点１で検討したように、吸い込みの領域は限られており、吸い込みの領域の長さによっては、枚葉紙の前縁部は、自由な状態となってしまうので、枚葉紙の前縁部を支えるために、刊行物３、４記載のような前縁部を手前にして引き渡される中間貯蔵システムを採用し、上記相違点２に係る本願発明のような構成とすることは当業者が容易になし得る程度のことである。
　
　そして、本願発明の作用効果も、刊行物１〜４記載の発明から当業者が予測できる範囲のものである。
　
　なお、本願発明の「第２のグリッパ装置（３４）」が「（引き渡し装置の）第２のグリッパ装置」と同じものを指していると解釈して、以下、検討する。
　引用発明は、「枚葉紙９の後縁部を裏面印刷グリツパ１６，１７（本願発明の「（引き渡し装置の）第２のグリッパ装置」に相当）が捕捉」するものであり、裏面印刷グリツパ１６，１７に受け渡されるのは、蓄えローラ８と引渡しローラ７の接触部の近傍であり、受け渡された後即座に、枚葉紙９の後縁部は、蓄えローラ８上から離脱することとなるので、裏面印刷グリツパ１６，１７が枚葉紙の後縁部を咥える前までは、蓄えローラ８で保持し、その後は直ちに開放しなければならないことは明らかである。よって、本願発明のように（引き渡し装置の）第２のグリッパ装置が枚葉紙の後縁部を咥える前に、枚葉紙が、見当合わせ維持されてガイドされている間、吸込み開口によって保持されるようにすることは、当業者が容易になし得る程度のことである。
　
７．むすび
　以上のとおり、本願発明は、刊行物１〜４記載の発明及び周知技術に基づいて、当業者が容易に発明をすることができたものであるから、他の請求項に係る発明を検討するまでもなく、特許法第２９条第２項の規定により特許を受けることができず、本願は、拒絶されるべきものである。
　よって、結論のとおり審決する。